(57)【特許請求の範囲】
【請求項１】
錠ケースと、
該錠ケース内に回転可能に挿装されたロータと、
該ロータの軸方向に対して直角の方向に形成された複数個のタンブラ挿入孔にそれぞれ挿脱可能に挿装された板状のタンブラとよりなり、
前記ロータの軸方向に形成された鍵孔に鍵板を挿入しない状態では、前記タンブラが前記錠ケース内面側に突出して前記ロータを前記錠ケースに対して回転不能に拘束し、前記ロータの前記鍵孔に前記鍵板を挿入したときに、前記タンブラが前記錠ケース内面から退避して前記ロータの拘束を解除するようにしたシリンダ錠において、
前記鍵板の少くとも一面の長さ方向及び幅方向の異なる位置に、径及び深さの少くとも一方が異なる複数個の凹部を形成し、前記タンブラのほぼ中心に形成され前記鍵板が挿通される窓部の一辺に、前記鍵板に形成された凹部の１つにそれぞれ係合可能な、先端部をほぼ半球状に形成した突出部を設け、突出部が前記凹部に係合した時に前記各タンブラが前記錠ケース内面から退避するようにしたことを特徴とするシリンダ錠。
【発明の詳細な説明】
【０００１】
【発明の属する技術分野】
本発明は、板部材からなるタンブラを用いたシリンダ錠に係り、特に、製造コストは高いがピッキングによる不正解錠が困難であるピンタンブラと同様の作用を有した板タンブラを用いて、これにより、安価な構成でピッキング用具による不正解錠を防止可能としたシリンダ錠に関する。
【０００２】
【従来の技術】
自動車の各種錠や建造物のドアの施錠などには広くシリンダ錠が用いられている。この種のシリンダ錠の従来の構成の一例を図４乃至図８に示す。図４は板部材で形成されたタンブラ（以下板タンブラと称する。）を用いたシリンダ錠を示す分解斜視図、図５は図４のＡ−Ａ線断面図、図６は図４、５の鍵孔に鍵板を挿入しないときのシリンダ錠の軸方向断面図、図７は図４、５の鍵孔に鍵板を挿入したときのシリンダ錠の軸方向断面図である。また図８はピンで形成されたタンブラ（以下ピンタンブラと称する。）を用いたシリンダ錠を示す縦断面図である。
【０００３】
図４、５において、ほぼ円柱状のロータ１の中心には軸方向に貫通して矩形断面の鍵孔２が形成されている。ロータ１の外周には軸方向に対して直角の方向に、４個のスリット状のタンブラ挿入孔３が所定の間隔で貫通して形成されている。これらのタンブラ挿入孔３にはそれぞれ板タンブラ４が挿脱可能に挿入されている。
【０００４】
板タンブラ４の中心には鍵板５が貫通する矩形状の窓部４ａが形成されており、窓部４ａの高さｈは各板タンブラ毎に異なっている。また板タンブラ４の一方の側辺には段差部４ｂが、他方の側辺には２個の凸部４ｃがそれぞれ一体に形成されている。そして４枚の板タンブラ４をそれぞれタンブラ挿入孔３に挿入したとき、段差部４ｂとロータ１のタンブラ挿入孔３の内面に形成された係止部１ａとの間に装着されたタンブラスプリング６により、板タンブラ４がロータ１の外周から突出する方向に付勢されている。図５に示す如く板タンブラ４の移動範囲はロータ１のタンブラ挿入孔３の内面に形成された案内溝１ｂに凸部４ｃが案内されることにより規制される。
【０００５】
図４に示す如く鍵板５の一辺にはこの鍵板５を鍵孔２内の所定の位置に挿入したときに各板タンブラ４に整合する位置に切欠部５ａが形成されており、切欠部５ａの深さは各板タンブラ４の窓部４ａの高さｈにそれぞれ対応している。そしてロータ１の鍵孔２に鍵板５を挿入しない状態では、図６に示すように板タンブラ４はロータ１の外周から突出し、ロータ１を収容する錠ケース７の内周に形成された係止部７ａに嵌合して回転が係止される。
【０００６】
ロータ１の鍵孔２に鍵板５を挿入した状態では、図７に示すように板タンブラ４の窓部４ａが鍵板５の切欠部５ａに嵌合し、板タンブラ４はタンブラスプリング６の付勢力に抗して押し下げられ、板タンブラ４は錠ケース７の係止部７ａから離脱する。この結果ロータ１は錠ケース７に対して回転可能となる。
【０００７】
ピンタンブラを用いたシリンダ錠は図８に示すように、円柱状のロータ１１が錠ケース１２内に回転可能に収納されており、中心の鍵孔１３には鍵板１４が挿脱可能に挿入されている。ロータ１１には軸方向に直角に４個の丸孔状のタンブラ挿入孔１５が、所定の間隔で一直線上に形成されており、それぞれの挿入孔１５に長さの異なるピンタンブラ１６が軸方向に移動可能に挿入されている。
【０００８】
錠ケース１２にはぞれぞれロータ１１のタンブラ挿入孔１５に整合する位置に、ドライバピン挿入孔１７が軸方向に直角に貫通して形成されており、各挿入孔１７には円柱状のドライバ１８が挿入されている。ドライバ１８は錠ケース１２を被覆するカバー１９との間に装着されたスプリング２０によりピンタンブラ１６に押圧されている。符号２１は錠ケース１２の軸方向の位置を規制するストッパピンである。
【０００９】
上記のように構成されたシリンダ錠において、鍵板１４がロータ１１の鍵孔１３に挿入されていない状態では、ドライバ１８がスプリング２０に押されてロータ１１のタンブラ挿入孔１５内に挿入されている。この状態ではロータ１１は回動不可能である。鍵板１４を図８に示すように鍵孔１３に挿入すると、ピンタンブラ１６は鍵板１４の切欠部１４ａに嵌合して押し上げられる。この結果ドライバ１８とタンブラ挿入孔１５との係合が解除され、ロータ１１は回動可能となる。このときピンタンブラ１６の長さと鍵板１４の切欠部１４ａの深さとの関係を適正に保つことにより、４本のドライバ１８の下端はロータ１１の外周面にそろえることができる。
【００１０】
【発明が解決しようとする課題】
上記のように構成された従来の板タンブラ４を用いたシリンダ錠においては、板タンブラ４の窓部４ａの下辺がロータ１の軸方向の一直線上に配置されているため、ピッキング用具による不正解錠がしやすかった。また鍵板５の一面のみに切欠部５ａが形成されているため、板タンブラ４の配置が制約され、通常板タンブラは４個しか使用されていなかった。このことも不正解錠を容易に行うことのできる原因となっていた。また、図８に示す従来のピンタンブラ１６を用いたシリンダ錠においては、ピンタンブラ１６の先端をほぼ半球状に形成することにより、ピッキング用具による不正解錠に時間を要するという利点はあった。しかし、ピンタンブラ１６が一直線上に配置されているため、ピンタンブラ１６の数が制約され不正解錠防止の欠点となっていた。さらにピンタンブラ１６は製造コストが大きくなる欠点もあった。
【００１１】
本発明はこのような状況に鑑みてなされたもので、ピッキング用具などによる不正解錠を防止することのできる安価なシリンダ錠を提供することを目的とする。
【００１２】
【課題を解決するための手段】
上記目的を達成するために、本発明は、錠ケースと、該錠のケース内に回転可能に挿装されたロータと、該ロータの軸方向に対して直角の方向に形成された複数個のタンブラ挿入孔にそれぞれ挿脱可能に挿装された板状のタンブラとよりなり、前記ロータの軸方向に形成された鍵孔に鍵板を挿入しない状態では、前記タンブラが前記錠ケース内面側に突出して前記ロータを前記錠ケースに対して回転不能に拘束し、前記ロータの前記鍵孔に前記鍵板を挿入したときに、前記タンブラが前記錠ケース内面から退避して前記ロータの拘束を解除するようにしたシリンダ錠において、前記鍵板の少くとも一面の長さ方向及び幅方向の異なる位置に、径及び深さの少くとも一方が異なる複数個の凹部を形成し、前記タンブラのほぼ中心に形成され前記鍵板が挿通される窓部の一辺に、前記鍵板に形成された凹部の１つにそれぞれ係合可能な、先端部をほぼ半球状に形成した突出部を設け、突出部が前記凹部に係合した時に前記各タンブラが前記錠ケース内面から退避するようにしたことを特徴とする。
【００１３】
上記の構成によると、鍵板の任意の面の異なる位置に形成された複数個の凹部の１つに、板タンブラの窓部に設けられた突出部の位置をそれぞれ整合させ、突出部が凹部に係合したときに各板タンブラが錠ケース内面から退避するようにしたので、板タンブラの配置の自由度が増しタンブラの枚数を増やすことができる。また、突出部は、先端部をほぼ半球状に形成しており、これにより不正解錠に時間を要するピンタンブラと同様の作用を有するようにしたために、安価な構成でピッキング用具による不正解錠を防止することができる。
【００１４】
【発明の実施の形態】
以下、本発明の実施の形態の構成例を図面を参照して説明する。図１乃至図３に示す各構成例において、図４乃至図８に示す従来例の部分に対応する部分には同一符号を付してあり、その説明は適宜省略する。
【００１５】
図１は本発明の第１の構成例を示す分解斜視図であり、板タンブラ４の枚数が４枚の場合を示す。ロータ１の構成は図４に示す従来例とほぼ同様であり、板タンブラ４の窓部４ａの一辺に形成された突出部４ｄの位置がそれぞれ異なっている。また鍵板５に形成された凹部５ａの位置も長さ方向及び幅方向の位置が異なっている。そして鍵板５を鍵孔２に挿入したとき、各板タンブラ４に形成され先端がほぼ半球状となった突出部４ｄが、それぞれ対応する位置の凹部５ａに係合するようになっている。作用は従来例と同様である。ここで、本構成例における前記突出部４ｄは、図１からも明らかなように、先端部をほぼ半球状にしており、これにより、その正面形状をピンタンブラの正面形状とほぼ同様の形状としている。そのため、これにより本構成例による突出部４ｄは、ピッキングによる不正解錠に時間を要するピンタンブラと同様の作用を有することとなる一方、ピンタンブラと異なり製造コストを抑えることができ、その結果、本構成例によるシリンダ錠では安価な構成でピッキング用具による不正解錠を防止することが可能となる。
【００１６】
図２は本発明の第２の構成例を示す分解斜視図、図３は図２のＡ−Ａ線断面図である。本構成例では板タンブラ４の枚数を上方に４枚、下方に４枚の合計８枚とし、各４枚の板タンブラ４をロータ１の外周の上下面に形成されたそれぞれ４個のタンブラ挿入孔３に挿入する場合である。この場合も板タンブラ４の窓部４ａの一辺に形成された突出部４ｄの位置がそれぞれ異なっている。また鍵板５の両面の各板タンブラ４の突出部４ｄに対向する位置にそれぞれ凹部５ａが形成されており、鍵板５を鍵孔２に挿入したとき、各板タンブラ４ｄの突出部４ｂがそれぞれ対向する位置の凹部５ａに係合するようになっている。
【００１７】
本構成例における作用も従来例と同様であるが、板タンブラ４の枚数が８枚と多いため、ピッキング用具などによる不正解錠はより困難となる。また、本構成例における突出部４ｄも、図３から明らかなように、先端部をほぼ半球状にしており、これにより、その正面形状をピンタンブラの正面形状とほぼ同様の形状としている。そのため、図１に示したシリンダー錠における突出部４ｄと同様に、ピッキングによる不正解錠に時間を要するピンタンブラと同様の作用を有することとなる一方、ピンタンブラと異なり製造コストを抑えることができ、安価な構成でピッキング用具による不正解錠を防止することが可能なシリンダー錠とすることができる。なお板タンブラ４の枚数は８枚に限定されるものではなく、設計上可能であれば他の枚数であってよい。
【００１８】
【発明の効果】
以上説明したように、本発明のシリンダ錠によれば、鍵板の少なくとも一面の異なる位置に径及び深さの異なる凹部を複数個形成し、ロータに挿装されるタンブラの位置及び形状を前記凹部に係合可能に形成したので、タンブラの数を増すことができ、ピッキング用具などによる不正解錠を防止することができる。また、凹部に係合させる突出部は、先端部をほぼ半球状に形成しており、これにより不正解錠に時間を要するピンタンブラと同様の作用を有するようにしたために、ピンタンブラと比べて安価となり、しかもピンタンブラと同様の不正解錠防止が可能となる。
【図面の簡単な説明】
【図１】  本発明のシリンダ錠の実施の形態の第１の構成例を示す分解斜視図。
【図２】  本発明の第２の構成例を示す分解斜視図。
【図３】  図２のＡ−Ａ線断面図。
【図４】  従来の板タンブラを用いたシリンダ錠の構成例を示す分解斜視図。
【図５】  図４のＡ−Ａ線断面図。
【図６】  図５のシリンダ錠に鍵板を挿入していないときの状態を示す軸方向断面図。
【図７】  図５のシリンダ錠に鍵板を挿入したときの状態を示す軸方向断面図。
【図８】  従来のピンタンブラを用いたシリンダ錠の構成例を示す軸方向断面図。
【符号の説明】
１  ロータ
２  鍵孔
３  タンブラ挿入孔
４  板タンブラ
４ａ  窓部
４ｄ  突出部
５  鍵板
５ａ  凹部
７  錠ケース
【図１】
0003654848.tif 000002
【図２】
0003654848.tif 000003
【図３】
0003654848.tif 000004
【図４】
0003654848.tif 000005
【図５】
0003654848.tif 000006
【図６】
0003654848.tif 000007
【図７】
0003654848.tif 000008
【図８】
0003654848.tif 000009